(57)【要約】【課題】より少ない消費電力で、快適な室内環境を実現する空調システムを提供する。【解決手段】空調システムは、基礎Ｆと建物Ｈの床面２１ａとの間に一端（吸気端２５ａ）が設置され、部屋の１階天井裏空間２１ｃに他端（排気端２５ｂ）が設置されるチューブ状のダクト２５と、１階天井裏空間２１ｃに空気を送る第１の排気端２５ｂと、部屋２１内の空気を通気層７に排出する第２のファン２０ｂと、２階天井裏空間２２ｃに空気を送る第２の排気端２５ｂと、部屋２２内の空気を通気層７に送る第３のファン２０ｃと、を備える。【選択図】図１
2017014727.tif 000002
【特許請求の範囲】
【請求項１】
空調機を備えた建物に配備される空調システムにおいて、
前記建物の基礎及び前記建物内における部屋の床面の間に一端が設置され、前記部屋の天井裏に他端が設置される筒状のダクトと、
前記建物の躯体に設けた前記空調機用のファンと
この建物の内部空気を、当該建物の外部に排出する排気用ファンと、を備える構成とした空調システム。
【請求項２】
前記空調機用のファンは、前記天井に設置され、
前記排気用ファンは、前記部屋の側壁に設置される、
請求項１に記載の空調システム。
【請求項３】
前記排気用ファンは、前記部屋内の空気を、前記建物における外壁及び内壁間に形成される通気層を経て、前記建物の屋根の頂部に設けられる棟換気部から前記建物の外部に排出する
請求項１又は２に記載の空調システム。
【請求項４】
前記建物の外の温度を検出する外気温センサと、
前記床面と前記基礎との間の温度を検出する床下気温センサと、
前記外気温センサを通じて検出した外気温及び前記床下気温センサを通じて検出した床下の温度の温度差を算出し、その温度差が第１の閾値以上のとき、前記空調機用のファン及び排気用ファンを駆動する制御装置と、を備えた
請求項１から３のいずれか一項に記載の空調システム。
【請求項５】
前記部屋内の湿度を検出する湿度センサと、
前記湿度センサを通じて検出した湿度が第１の閾値以上のとき、前記空調機用のファン及び排気用ファンを駆動する制御装置と、を備えた
請求項１から４の何れか一項に記載の空調システム。
【発明の詳細な説明】
【技術分野】
【０００１】
本発明は、建物の空調システムに関する。
【背景技術】
【０００２】
従来から、建物において、快適な室内環境を実現するために、建物の壁体の内部に通気層７を設け、その通気層７の空気を、換気扇を通じて外部に排出する構成が知られている（例えば、特許文献１参照）。特許文献１の構成では、空調装置の一種である加湿器及び除湿器の駆動を通じて、室内の湿度が快適な状態に保たれていた。
【先行技術文献】
【特許文献】
【０００３】
【特許文献１】特開２００６−２０７１２６号公報
【発明の概要】
【発明が解決しようとする課題】
【０００４】
しかし、特許文献１に開示された構成では、特に夏期又は冬期において、建物の部屋内を快適な温度に保つことが困難である。また、部屋内を快適な状態に保つためには、エアコンディショナー等の空調装置を高出力で駆動させる必要があり、空調装置の消費電力が問題となっていた。また、空調装置の夜間の駆動は、色々と問題が有る。
【０００５】
本発明は、上記に鑑み、より少ない消費電力で、昼夜を問わず快適な室内環境を実現することを目的とする。
【課題を解決するための手段】
【０００６】
上記目的を達成するために、本発明の空調システムは、空調機を備えた建物に配備される空調システムにおいて、前記建物の基礎及び前記建物内における部屋の床面の間に一端が設置され、前記部屋の天井裏の空間に他端が設置される筒状のダクトと、前記建物の躯体に設けた前記空調機用のファンと、この建物の内部空気を、当該建物の外部に排出する前記躯体に設けた排気用ファンと、を備える構成である。
【発明の効果】
【０００７】
本発明によれば、より少ない消費電力で、昼夜を問わず快適な室内環境を実現できる。また、高気密、高断熱の建物（住宅、事務所等）に最適な空調システムを提供可能となり有益である。さらに、高気密から連想される「風通しが悪そう」、「息苦しい」というマイナスイメージを払拭できる優越性も備える。
【図面の簡単な説明】
【０００８】
【図１】本発明の一実施形態に係る空調システムを備えた建物の概略図である。
【図２】本発明の一実施形態に係る建物の柱、土台、胴差し、軒桁及び屋根材を示した拡大斜視図である。
【図３】本発明の一実施形態に係る建物の柱、内壁及び外壁等の拡大側面図である。
【図４】本発明の一実施形態に係る空調システムを備えた建物の一部を示した斜視図である。
【図５】本発明の一実施形態に係る空調システムのブロック図である。
【図６】本発明の一実施形態に係る制御装置が実行する処理手順を示すフローチャートである。
【発明を実施するための形態】
【０００９】
以下、本発明に係る空調システム１０を配備した建物の一実施形態について、図１〜図６を参照して説明する。
【００１０】
建物Ｈは、例えば、図１、図２等に示す、木造構造である。その要旨は、水切り、又は換気穴等を備えた土台１と、土台１に立設した柱２と、柱２間を繋ぐ胴差し３と、この柱２の上端に設けた軒桁４と、この軒桁４に設けた、母屋５ａ、断熱材５ｂ、防水シート等５ｃを介して葺設した瓦等の屋根材５ｄとで構築する。図中６は軒天を示す。
【００１１】
基礎Ｆは、地面上にコンクリートが敷き固められてなる。土台１は、複数の角材から構成され、基礎Ｆ、又はその立上部に差渡し固定される。複数本の柱２は、土台１に立設、かつ固定される、例えば、垂直材である。胴差し３は、１階と２階等の各階との間における複数の柱２に架渡しされた横架材である。軒桁４は、各柱２の上部に架渡しされた横架材である。複数本の軒桁４上には屋根材５ｄが布設される。
【００１２】
また、図３に示すように、複数本の柱２及び複数本の軒桁４等の室内側には、木質系ボード等の内壁３５が固定され、複数の柱２及び軒桁４等の室外側にはサイディング等の外壁３７が固定されている。内壁３５及び外壁３７によって壁体８が構成されている。壁体８内には、図２の一点鎖線で示すように、断熱材マット１２が収納されている。この断熱材マット１２は防水断熱性を有する袋内にグラスウール等の断熱性の高い材料を充填した定尺マットである。各断熱材マット１２は、図３に示したように、土台１と胴差し３と柱２とで囲まれた空間を密に埋めるように納められている。内壁３５の室外側の面には断熱材マット１２を覆うように防湿シート（図示略）が貼り付けられている。そして、外壁３７と柱２及び胴差し３と内壁３５との間には、通気層７（換気通路）が形成されており、この通気層７は、屋根材５ｄと防水シート５ｃとの間に形成した通気層７ａに連なる。この通気層７ａは、後述する棟換気部に連なる。通気層７の上下端は開口７００、７０１となっている。
【００１３】
土台１には、図１に模式的に示すように、１階の床面２１ａが固定され、胴差し３には、１階の天井面２１ｂが固定されている。また、胴差し３の上には、２階の床面２２ａが固定され、軒桁４には、２階の天井面２２ｂが固定されている。これにより、１階の部屋２１及び２階の部屋２２は、それぞれ建物Ｈ内において直方体の空間で区切られる。また、１階の部屋２１及び２階の部屋２２の間には、１階天井裏空間２１ｃが形成され、２階の部屋２２には、２階天井裏空間２２ｃが形成される。前記通気層７の上端の開口７００は、２階の胴差し３の上方外側で開放されている。また、通気層７の下端の開口７０１は、土台Ｆの胴差し３の下端で開放されている。このように、通気層７内の空気の流れを二分することで、棟換気部９へのスムース、かつ迅速な流れを確保でき、第１・第２の部屋２１、２２の容易、かつ迅速な空気調整が図れる。また、通気層７を、内壁３５と外壁３７との間に設けることで、通気層７は断熱層としての役割がある。
【００１４】
屋根材５ｄの頂部には、図１に示すように、棟換気部９が形成されている。棟換気部９は、通気層７内の空気を建物Ｈの外に排出するように構成されている。詳しくは、棟換気部９は、通気層７は屋根１１に設けた通気層７ａと連通するとともに、棟換気部９は、屋根１１の両通気層７ａの合掌箇所（頂点）に設け、かつ建物Ｈの外とを連通する開口部９ａと、その開口部９ａからの雨等の建物Ｈ内への浸入を抑制する棟カバー９ｂ（雨仕舞い手段）と、を備える。棟カバー９ｂは、開口部９ａの上方に位置し、棟に合わせて屈曲した板状に形成されているが、一例である。
【００１５】
空調システム１０は、図１に模式的に示すように、複数基の第１〜第３ファン２０ｂ〜２０ｄ（本例では３基とするが、一例である）と、金属、樹脂等の材料で筒状に形成されるフレキシブルのダクト２５と、を備える。
【００１６】
ダクト２５は、後述する通気層に一本〜複数本配備されており、例えば、基端に例えば、１つの吸気端２５ａ（本数は一例である）と、その吸気端２５ａから延びる途中で２つに分岐し（分岐本数は一例である）、かつ他端に２つの排気端２５ｂ、２５ｃを備える。ダクト２５の吸気端２５ａは床下（床面２１ａと基礎Ｆとの間）に設置される。ダクト２５は、吸気端２５ａから床面２１ａに沿って通気層７に対応する位置まで延び、その位置で上方に屈曲して通気層７内（ダクト２５を付設する位置と本数は任意である）を通る。ダクト２５は、１階天井裏空間２１ｃにおいて２つに分岐する。分岐した一方のダクト２５の第１の排気端２５ｂは、１階の部屋２１の通気層７内を通って１階天井裏空間２１ｃ内に延びる。分岐した他方のダクト２５の第２の排気端２５ｃは、２階の部屋２１の通気層７内を通って２階天井裏空間２２ｃ内に延びる。なお、ダクト２５は、通気層７が望ましいが、その他として、図４に示すように、部屋の内壁３５と、例えば、隣接した他の部屋の内壁３５との間を通過してもよい。また、図示しないが、ダクト２５は、各部屋２１，２２の壁面、又は内部を通過してもよい。
【００１７】
第１ファン〜第３ファン２０ｂ〜２０ｄ（総称するときは、ファン２０ｂ〜２０ｄとする）は、例えば、円筒状のパイプファンである。一基〜複数基の第３のファン２０ｄは、１階の部屋２１の内壁３５の内面から通気層７の内面に貫設された一〜複数の空間に設けられている。第１のファン２０ｂ（空調機用のファン）は、２階の部屋２２の天井面２２ｂの下面から室内に貫設された空間に設けられている。一基〜複数基の第２のファン２０ｃは、２階の部屋２２の内壁３５の内面から通気層７の内面に貫設された一〜複数の空間に設けられている。そして、第２のファン２０ｃと第３のファン２０ｄで、１階の部屋２１の空気を、通気層７を介して、屋根の通気層７ａに導き、又は２階の部屋２２の空気を、通気層７の下側から、建物Ｈの土台１近傍に排気する。従って、１階の部屋２１の内部と、２階の部屋２２の内部は、負圧状態となり、建物Ｈの隙間、例えば、土台１、土間等の隙間１６から外気を床下Ｇに吸込み、ダクト２５に導く構造である。以上の説明では、通気層７の上下方向に、混在して、第２・第３のファン２０ｃ、２０ｄを介して送る方法を説明したが、第２のファン２０ｃでは、通気層７ａに送り、第３のファン２０ｄでは、通気層７の下側から、建物Ｈの土台１近傍に排気することも有益である。そして、通気層７の下側から、建物Ｈの土台１近傍に排気する構造では、床下への湿気、熱気とか、虫等の侵入（進入）防止に有効である。
【００１８】
一基〜複数基の換気用ガラリ２０ａは、１階天井裏空間２１ｃ内の空気、又はダクト２５の空気を、１階の部屋２１内に取り入れるための設備であり、天井面２１ｂに設ける。一基〜複数基の第３のファン２０ｄは、１階の部屋２１内の空気を通気層７に送ることができる。第２のファン２０ｃは、２階の部屋２２内の空気を通気層７に送ることができる。第１のファン２０ｂは空調機のファンであり、第２のファン２０ｃ及び第３のファン２０ｄは排気用ファンである。尚、一基〜複数基の換気用ガラリ２０ａは、全てか、その一部を、図示しないが、ファンとするもできる。
【００１９】
次に、図１及び図４を参照しつつ、空調システム１０における第２、第３のファン２０ｃ、２０ｄが駆動している場合の空気の流れについて説明する。
【００２０】
夏季においては、外気温に比べて、内気温（１階、２階の部屋２１、２２の空気）が高くなり、第２、第３のファン２０ｃ、２０ｄが駆動すると、前述の如く、１階、２階の部屋２１、２２が負圧となる。この負圧状態となれば、低温の床下Ｇの冷気を（外気温に比べて、基礎Ｆの地面の温度が低く、床下Ｇの空気は冷気となる）、床下Ｇのダクト２５の吸気端２５ａ（床下Ｇに設置したダクト２５の吸気端２５ａ）より吸込み、第１の排気端２５ｂ、及び／又は、第２の排気端２５ｃ（二階建て説明するが、平屋も同じである）から排出される。第１の排気端２５ｂから排出された冷気は、ガラリ２０ａを通過して１階の部屋２１内に拡散されて、１階の部屋２１内が冷却される。また、第２の排気端２５ｃから排出された冷気は、場合により、図示しない、ファン、又は空調機用のファン２ｂ（第１のファン２ｂとする）、及び／又は、図示しない、ガラリを通過して２階の部屋２２内に拡散されて、２階の部屋２２内が冷却される。尚、前記の如く、第２、第３のファン２０ｃ、２０ｄが駆動することで、１、２階の部屋２１、２２内の暖気（空気）は、通気層７に排気された後、棟換気部９に向かって流れ、棟換気部９から建物Ｈの外に排出される。
【００２１】
尚、２階天井裏空間２２ｃの第１のファン２０ｂは、建物Ｈの空気調和機（図示しない）に備えた機材を利用した一例であり、第２の部屋２２の温湿度調整に役立つ利点がある。また、第１のファン２０ｂは、通常のファンに代替することも可能であり、このファンであれば、第２の部屋２２を負圧にすることに役立つと考えられる。また、第２のファン２０ｃとの同期駆動も可能である。尚、第２、第３のファン２０ｃ、２０ｄを、同期して駆動する方法を説明したが、単独使用し、第１・第２の部屋２１、２２を別個に負圧とする使用もできる。
【００２２】
冬期においては、外気温に比べて、基礎Ｆに接する地面の温度は高くなる。よって、上記夏期の場合と同様に、第２のファン２０ｃ（排気用ファン）及び第３のファン２０ｄ（排気用ファン）が駆動されることで、冷気が１階・２階の部屋２１，２２の外の通気層７に排気される。これにより、１階・２階の部屋２１，２２が負圧となり、ダクト２５を通じて暖気が床下から、ガラリ２０ａより１階の部屋２１内に送られるとともに、ダクト２５を通じて暖気が、２階の部屋２２に送られるか、及び／又は、空調機用のファン２０ｂらにより２階の部屋２２内に送られることで、１階・２階の部屋２１，２２が暖められる。
【００２３】
図５のブロック図に示すように、空調システム１０は、第１〜第３のファン２０ｂ〜２０ｄに加えて、建物Ｈの外の温度を検出する外気温センサ５２と、床下の温度を検出する床下気温センサ５３と、室内の湿度を検出する湿度センサ５４と、時間及び月日を計測する時計５５と、各種センサ等からの情報に基づき第１〜第３のファン２０ｂ〜２０ｄを制御する制御装置５１とを備える。
【００２４】
図６のフローチャートには、第１の自動運転パターンが示されている。すなわち、同図に示すように、制御装置５１は、外気温センサ５２及び床下気温センサ５３を通じて、外気温及び床下の温度を認識する（Ｓ１）。そして、制御装置５１は、外気温及び床下の温度の温度差を算出し（Ｓ２）、その温度差が第１の閾値Ｔｈ１以上であるか否かを判断する（Ｓ３）。
【００２５】
制御装置５１は、温度差が第１の閾値Ｔｈ１（例えば、２５℃以上）以上である旨判断すると（Ｓ３でＹＥＳ）、第１〜第３のファン２０ｂ〜２０ｄを駆動し（Ｓ４）、温度差が第１の閾値Ｔｈ１（例えば、２５℃以上）未満である旨判断すると（Ｓ３でＮＯ）、第１〜第３のファン２０ｂ〜２０ｄを駆動せず、本フローチャートに係る処理を終了する（エンド）。このフローチャートは周期的に実行される。例えば、上記温度差が小さい場合には、空調システム１０を動作させても、部屋内は十分に冷却又は暖房されないため効率的でない。すなわち、第１の閾値Ｔｈ１は、効率的に空調システム１０が動作する上記温度差以上に設定されている。
【００２６】
また、第２の自動運転パターンとして、制御装置５１は、湿度センサ５４を通じて検出した室内の湿度が、第１の閾値（例えば、６５％）以上である旨判断すると、第１〜第３のファン２０ｂ〜２０ｄを駆動し、室内の湿度が第１の閾値未満である旨判断すると、第１〜第３のファン２０ｂ〜２０ｄを駆動させなくてもよい。この第１の閾値は、快適な室内環境を実現するための湿度に基づき設定されている。
【００２７】
また、第３の自動運転パターンとして、制御装置５１は、時計５５からの情報に基づき、居住者が部屋にいないと想定される時間帯、例えば深夜から早朝（例えば、午前３時〜９時）にかけて第１〜第３のファン２０ｂ〜２０ｄを駆動し、その他の時間帯には、第１〜第３のファン２０ｂ〜２０ｄを駆動させなくてもよい。
【００２８】
また、第４の自動運転パターンとして、制御装置５１は、外気温センサ５２を通じて検出した外気温が、第３の閾値（例えば、２５℃）以上である旨判断すると、第１〜第３のファン２０ｂ〜２０ｄを駆動し、外気温が第３の閾値未満である旨判断すると、第１〜第３のファン２０ｂ〜２０ｄを駆動させなくてもよい。この第３の閾値は、快適な室内環境を実現するための温度に基づき設定されている。
【００２９】
また、上記第１の自動運転パターンの変形例である第５の自動運転パターンとして、冬季とそれ以外の季節とで第１の閾値Ｔｈ１を変化させてもよい。制御装置５１は、例えば時計５５からの情報に基づき、冬季（例えば、１１月〜２月）においては、第１の閾値Ｔｈ１を冬季用の閾値（例えば、１４°）に設定したうえで、上記第１の自動運転パターンを実行し、冬季以外の季節（例えば、３月〜１０月）においては、第１の閾値Ｔｈ１を通常用の閾値（例えば、２５°）に設定したうえで、上記第１の自動運転パターンを実行してもよい。制御装置５１は、冬季であるか否かの判断を、時計５５からの情報でなく、外気温センサ５２又は床下気温センサ５３が検出する気温に基づき判断してもよい。この判断基準となる気温は、一定期間の平均気温であってもよい。
【００３０】
さらに、第１の自動運転停止パターンとして、制御装置５１は、冬季においては、第１〜第３のファン２０ｂ〜２０ｄの駆動を完全に停止してもよい。
【００３１】
また、第２の自動運転停止パターンとして、制御装置５１は、外気温センサ５２及び床下気温センサ５３の検出結果に基づき外気温及び床下の温度の温度差を算出し、その温度差が第３の閾値未満の場合、第１〜第３のファン２０ｂ〜２０ｄの駆動を完全に停止してもよい。例えば、上記温度差が小さい場合には、空調システム１０を動作させても、部屋内は十分に冷却又は暖房されないため効率的でない。すなわち、第３の閾値は、効率的に空調システム１０が動作する上記温度差より小さく設定されている。
【００３２】
第１及び第２の自動運転停止パターンにおいて第１〜第３のファン２０ｂ〜２０ｄの駆動が完全に停止している場合には、上述した第１〜４の自動運転パターンの駆動条件が成立した場合でも、制御装置５１は、第１〜第３のファン２０ｂ〜２０ｄを駆動させなくてもよい。
【００３３】
空調対象がクローゼット、押し入れ又は玄関である場合には、例えば第１〜４の自動運転パターンが好適である。例えば、制御装置５１は、図１の１階の部屋２１がクローゼット、押し入れ又は玄関である場合、第１〜４の自動運転パターンに基づき、第１のファン２０ｂに係る制御を行ってもよい。特に、第３の自動運転パターンによれば、クローゼット、押し入れ又は玄関に人がいないことが想定される時間帯に換気が行われるため、ファン動作に伴う騒音が問題となりづらい。
【００３４】
空調対象が居間である場合には、例えば第３及び第４の自動運転パターンならびに第１及び第１の自動運転停止パターンが好適である。例えば、制御装置５１は、図１の２階の部屋２２が居間である場合、第３及び第４の自動運転パターンならびに第１及び第１の自動運転停止パターンに基づき、第２のファン２０ｃ及び第３のファン２０ｄに係る制御を行ってもよい。このように部屋の種類に応じて採用する自動運転パターン及び自動運転停止パターンを適宜変更してもよい。
【００３５】
上記第１〜第４の自動運転パターン及び第１及び第２の自動運転停止パターンのうち採用するパターンは、部屋の種類等に合わせて適宜取捨選択されてもよい。採用されるパターンに応じて、各種センサ及び時計等を省略してもよい。
【００３６】
さらに、空調システム１０は、図５に示すように、ユーザによって押し操作可能に設置された強制動作スイッチ５６を備えてもよい。制御装置５１は、強制動作スイッチ５６が押し操作された旨認識すると、上記各自動運転パターン及び各自動運転停止パターンに関わらず、第１〜第３のファン２０ｂ〜２０ｄを駆動してもよい。尚、第２、第３のファン２０ｃ〜２０ｄを駆動することで、例えば、焼き肉、焼き魚の際、部屋内に充満した匂い及び煙を迅速に屋外に排出できる。また、制御装置５１は、強制動作スイッチ５６の操作に基づき第１〜第３のファン２０ｂ〜２０ｄを駆動した後、再度、強制動作スイッチ５６が押し操作された旨認識すると、通常のモード（各自動運転パターン及び各自動運転停止パターンに基づきファンを駆動又は停止するモード）に戻ってもよい。また、制御装置５１は、強制動作スイッチ５６の操作に基づき第１〜第３のファン２０ｂ〜２０ｄを駆動した場合、一定時間（例えば２４時間）経過後に、通常のモード（各自動運転パターン及び各自動運転停止パターンに基づき駆動又は停止するモード）に戻ってもよい。
【００３７】
また、第１〜第３のファン２０ｂ〜２０ｄの駆動は、建物Ｈとか、壁体８等の湿度上昇を抑制できる。従って、例えば、土台１、柱２、胴差し３等が、木材使用であれば、湿度上昇による変質、変形、又はシロアリの発生等を回避できて有益である。
【００３８】
（１）上記実施形態に係る空調システム１０は、基礎Ｆと建物Ｈの床面２１ａとの間に一端（吸気端２５ａ）が設置され、部屋の１・２階天井裏空間２２ｃに他端（排気端２５ｂ、２５ｃ）が設置される金属、樹脂等の材料でなるチューブ状のダクト２５と、１階の天井面２１ｂに設置（配備）され、かつダクト２５からの空気（暖気、又は冷気、或いは常温空気等の空気）を１階の部屋２１（室内）に送る換気ガラリ２０ａと、１階の部屋２１の側壁（内壁３５）に設置され、１階の部屋２１内の空気を通気層７に排出する第３のファン２０ｄと、を備える。この構成によれば、夏期においては、床下の冷気が、ダクト２５からガラリ２０ａより１階の部屋２１内に送り込まれて、この冷気の圧送で、部屋２１内の暖気が通気層７に排出される。冬期においては、床下の暖気が、前述と同様な流れで１・２階の部屋２１、２２内に送り込まれて、１階の部屋２１内の冷気が通気層７に排出される。このように、床下の冷気、又は暖気を利用して室温及び湿度を調整するため、エアコンディショナー等のみで室温及び湿度を調整した場合に比べて、より少ない消費電力で、快適な室内環境を実現することができる。また、この空調システム１０によれば、部屋内の温度調整だけに限らず、空気を循環させることで湿度も調整されるとともに、臭い及び煙等も外部に排出されるための各所の目的の調整ができ、快適な室内環境を実現できる。このように、湿度の上昇が抑制されることで、結露、カビやダニの発生を抑制できる。また、空調システム１０によれば、窓を開けての換気を要さないことが多く、防犯上も好ましく、かつ前述の消費電力の軽減化に寄与できる。さらに、空調システム１０をクローゼット、押し入れ又は玄関に適用することで、クローゼット等の内部に臭いがこもること、又は結露発生等の抑制に有効である。
【００３９】
（２）さらに、上記実施形態に係る空調システム１０は、建物Ｈの外の温度を検出する外気温センサ５２と、床面２１ａと基礎Ｆとの間の温度を検出する床下気温センサ５３と、外気温センサ５２を通じて検出した外気温及び床下気温センサ５３を通じて検出した床下の温度の温度差を算出し、その温度差が第１の閾値Ｔｈ１以上のとき、第１〜第３のファン２０ｂ〜２０ｄを駆動する制御装置５１と、を備える。この構成によれば、外気温と床下の温度との温度差が大きいとき、すなわち、空調システム１０により効率的に空調が可能であるときに、空調システム１０が動作する。
【００４０】
（３）さらに、上記実施形態に係る空調システム１０は、１階の部屋２１内の湿度を検出する湿度センサ５４と、湿度センサ５４を通じて検出した湿度が第１の閾値以上のとき、第１〜第３のファン２０ｂ〜２０ｄを駆動する制御装置と、を備える。この構成によれば、湿度の上昇が抑制され、快適な室内環境を実現することができる。又は、結露防止等に有効である。
【００４１】
（４）第３のファン２０ｄは、部屋２２内の空気を、通気層７を通じて、建物Ｈの屋根の頂部に設けられる棟換気部９から建物Ｈの外部に排出する。これにより、内壁３５と外壁３７との間の湿度が高まることが抑制される。
【００４２】
（変形例）
上記実施形態では、棟換気部９から建物Ｈの外部に空気が排出したが、その他の部分、例えば、外壁３７に排気口（図示せず）を設けて、その排気口から建物Ｈ外に排出してもよい。また、この排気口に外部に空気を送るファンを新たに設けてもよい。
【００４３】
上記実施形態における第１〜第３のファン２０ｂ〜２０ｄは、ファンの能力とか、好みにより、適宜省略可能である。また、１階の部屋２１のみに空調システム１０が導入される場合には、第３のファン２０ｄを省略しいもよい。また、２階の部屋２２にのみ空調システム１０が導入される場合には、２階の部屋２２の第２のファン２０ｃを省略してもよい。
【００４４】
上記第１〜第３のファン２０ｂ〜２０ｄ、又はガラリ２０ａ等の設置位置は限定されない。例えば、ガラリ２０ａ及び第１のファン２０ｂを内壁３５に設けてもよい。
【００４５】
上記実施形態では、建物Ｈは、木造で説明したが、鉄骨又は鉄筋コンクリートの建物Ｈに実施形態に係る空調システム１０を適用してもよい。
【００４６】
上記実施形態では、ダクト２５は、それぞれ１階天井裏空間２１ｃ及び２階天井裏空間２２ｃに延びるように２つに分岐しているが一例である。
【００４７】
本発明は上述した実施形態に限定されるものではなく、各請求項に示した範囲内での種々の変更が可能である。すなわち、請求項に示した範囲内で適宜変更した技術的手段を組み合わせて得られる実施形態も、本発明の技術的範囲に含まれる。
【符号の説明】
【００４８】
１  土台
２  柱
３  胴差し
４  軒桁
５ａ  母屋
５ｂ  断熱材
５ｃ  防水シート
５ｄ  屋根材
６  軒天
７  通気層
７ａ  屋根の通気層
７００  開口
７０１  開口
８  壁体
９  棟換気部
９ａ  開口部
９ｂ  棟カバー
１０  空調システム
１１  屋根
１２  断熱材マット
１６  隙間
２０ａ  ガラリ
２０ｂ〜２０ｄ  ファン
２０ｅ  ファン
２１  １階の部屋
２２  ２階の部屋
２１ａ，２２ａ  床面
２１ｂ，２２ｂ  天井面
２１ｃ  １階天井裏空間
２２ｃ  ２階天井裏空間
２５  ダクト
２５ａ  吸気端
２５ｂ  第１の排気端
２５ｃ  第２の排気端
３５  内壁
３７  外壁
５１  制御装置
５２  外気温センサ
５３  床下気温センサ
５４  湿度センサ
５５  時計
５６  強制動作スイッチ
Ｆ  基礎
Ｇ  床下
Ｈ  建物
【図１】
2017014727.tif 000003
【図２】
2017014727.tif 000004
【図３】
2017014727.tif 000005
【図４】
2017014727.tif 000006
【図５】
2017014727.tif 000007
【図６】
2017014727.tif 000008
【手続補正書】
【提出日】平成27年7月24日(2015.7.24)
【手続補正３】
【補正対象書類名】特許請求の範囲
【補正対象項目名】全文
【補正方法】変更
【補正の内容】
【特許請求の範囲】
【請求項１】
空調機を備えた建物に配備される空調システムにおいて、
前記建物の基礎及び前記建物内における部屋の床面の間に一端が設置され、前記部屋の天井裏に他端が設置される筒状のダクトと、
前記建物の躯体に設けた前記空調機用のファンと
この建物の内部空気を、当該建物の外部に排出する排気用ファンと、を備える構成とした空調システム。
【請求項２】
前記空調機用のファンは、前記天井に設置され、
前記排気用ファンは、前記部屋の側壁に設置される、
請求項１に記載の空調システム。
【請求項３】
前記排気用ファンは、前記部屋内の空気を、前記建物における外壁及び内壁間に形成される通気層を経て、前記建物の屋根の頂部に設けられる棟換気部から前記建物の外部に排出する
請求項１又は２に記載の空調システム。
【請求項４】
前記建物の外の温度を検出する外気温センサと、
前記床面と前記基礎との間の温度を検出する床下気温センサと、
前記外気温センサを通じて検出した外気温及び前記床下気温センサを通じて検出した床下の温度の温度差を算出し、その温度差が第１の閾値以上のとき、前記空調機用のファン及び排気用ファンを駆動する制御装置と、を備えた
請求項１から３のいずれか一項に記載の空調システム。
【請求項５】
前記部屋内の湿度を検出する湿度センサと、
前記湿度センサを通じて検出した湿度が第１の閾値以上のとき、前記空調機用のファン及び排気用ファンを駆動する制御装置と、を備えた
請求項１から４のいずれか一項に記載の空調システム。
【手続補正４】
【補正対象書類名】明細書
【補正対象項目名】全文
【補正方法】変更
【補正の内容】
【発明の詳細な説明】
【技術分野】
【０００１】
本発明は、建物の空調システムに関する。
【背景技術】
【０００２】
従来から、建物において、快適な室内環境を実現するために、建物の壁体の内部に通気層７を設け、その通気層７の空気を、換気扇を通じて外部に排出する構成が知られている（例えば、特許文献１参照）。特許文献１の構成では、空調装置の一種である加湿器及び除湿器の駆動を通じて、室内の湿度が快適な状態に保たれていた。
【先行技術文献】
【特許文献】
【０００３】
【特許文献１】特開２００６−２０７１２６号公報
【発明の概要】
【発明が解決しようとする課題】
【０００４】
しかし、特許文献１に開示された構成では、特に夏期又は冬期において、建物の部屋内を快適な温度に保つことが困難である。また、部屋内を快適な状態に保つためには、エアコンディショナー等の空調装置を高出力で駆動させる必要があり、空調装置の消費電力が問題となっていた。また、空調装置の夜間の駆動は、色々と問題が有る。
【０００５】
本発明は、上記に鑑み、より少ない消費電力で、昼夜を問わず快適な室内環境を実現することを目的とする。
【課題を解決するための手段】
【０００６】
上記目的を達成するために、本発明の空調システムは、空調機を備えた建物に配備される空調システムにおいて、前記建物の基礎及び前記建物内における部屋の床面の間に一端が設置され、前記部屋の天井裏の空間に他端が設置される筒状のダクトと、前記建物の躯体に設けた前記空調機用のファンと、この建物の内部空気を、当該建物の外部に排出する前記躯体に設けた排気用ファンと、を備える構成である。
【発明の効果】
【０００７】
本発明によれば、より少ない消費電力で、昼夜を問わず快適な室内環境を実現できる。また、高気密、高断熱の建物（住宅、事務所等）に最適な空調システムを提供可能となり有益である。さらに、高気密から連想される「風通しが悪そう」、「息苦しい」というマイナスイメージを払拭できる優越性も備える。
【図面の簡単な説明】
【０００８】
【図１】本発明の一実施形態に係る空調システムを備えた建物の概略図である。
【図２】本発明の一実施形態に係る建物の柱、土台、胴差し、軒桁及び屋根材を示した拡大斜視図である。
【図３】本発明の一実施形態に係る建物の柱、内壁及び外壁等の拡大側面図である。
【図４】本発明の一実施形態に係る空調システムを備えた建物の一部を示した斜視図である。
【図５】本発明の一実施形態に係る空調システムのブロック図である。
【図６】本発明の一実施形態に係る制御装置が実行する処理手順を示すフローチャートである。
【発明を実施するための形態】
【０００９】
以下、本発明に係る空調システム１０を配備した建物の一実施形態について、図１〜図６を参照して説明する。
【００１０】
建物Ｈは、例えば、図１、図２等に示す、木造構造である。その要旨は、水切り、又は換気穴等を備えた土台１と、土台１に立設した柱２と、柱２間を繋ぐ胴差し３と、この柱２の上端に設けた軒桁４と、この軒桁４に設けた、母屋５ａ、断熱材５ｂ、防水シート５ｃ等を介して葺設した瓦等の屋根材５ｄとで構築する。図中６は軒天を示す。
【００１１】
基礎Ｆは、地面上にコンクリートが敷き固められてなる。土台１は、複数の角材から構成され、基礎Ｆ、又はその立上部に差渡し固定される。複数本の柱２は、土台１に立設、かつ固定される、例えば、垂直材である。胴差し３は、１階と２階等の各階との間における複数の柱２に架渡しされた横架材である。軒桁４は、各柱２の上部に架渡しされた横架材である。複数本の軒桁４上には屋根材５ｄが布設される。
【００１２】
また、図３に示すように、複数本の柱２及び複数本の軒桁４等の室内側には、木質系ボード等の内壁３５が固定され、複数の柱２及び軒桁４等の室外側にはサイディング等の外壁３７が固定されている。内壁３５及び外壁３７によって壁体８が構成されている。壁体８内には、図２の一点鎖線で示すように、断熱材マット１２が収納されている。この断熱材マット１２は防水断熱性を有する袋内にグラスウール等の断熱性の高い材料を充填した定尺マットである。各断熱材マット１２は、図３に示したように、土台１と胴差し３と柱２とで囲まれた空間を密に埋めるように納められている。内壁３５の室外側の面には断熱材マット１２を覆うように防湿シート（図示略）が貼り付けられている。そして、外壁３７と柱２及び胴差し３と内壁３５との間には、通気層７（換気通路）が形成されており、この通気層７は、屋根材５ｄと防水シート５ｃとの間に形成した通気層７ａに連なる。この通気層７ａは、後述する棟換気部に連なる。通気層７の上下端は開口７００、７０１となっている。
【００１３】
土台１には、図１に模式的に示すように、１階の床面２１ａが固定され、胴差し３には、１階の天井面２１ｂが固定されている。また、胴差し３の上には、２階の床面２２ａが固定され、軒桁４には、２階の天井面２２ｂが固定されている。これにより、１階の部屋２１及び２階の部屋２２は、それぞれ建物Ｈ内において直方体の空間で区切られる。また、１階の部屋２１及び２階の部屋２２の間には、１階天井裏空間２１ｃが形成され、２階の部屋２２には、２階天井裏空間２２ｃが形成される。前記通気層７の上端の開口７００は、２階の胴差し３の上方外側で開放されている。また、通気層７の下端の開口７０１は、土台１、又は基礎Ｆに設けた胴差し３の下端で開放されている。このように、通気層７内の空気の流れを二分することで、棟換気部９へのスムース、かつ迅速な流れを確保でき、第１・第２の部屋２１、２２の容易、かつ迅速な空気調整が図れる。また、通気層７を、内壁３５と外壁３７との間に設けることで、通気層７は断熱層としての役割がある。
【００１４】
屋根材５ｄの頂部には、図１に示すように、棟換気部９が形成されている。棟換気部９は、通気層７内の空気を建物Ｈの外に排出するように構成されている。詳しくは、棟換気部９は、通気層７は屋根１１に設けた通気層７ａと連通するとともに、棟換気部９は、屋根１１の両通気層７ａの合掌箇所（頂点）に設け、かつ建物Ｈの外とを連通する開口部９ａと、その開口部９ａからの雨等の建物Ｈ内への浸入を抑制する棟カバー９ｂ（雨仕舞い手段）と、を備える。棟カバー９ｂは、開口部９ａの上方に位置し、棟に合わせて屈曲した板状に形成されているが、一例である。
【００１５】
空調システム１０は、図１に模式的に示すように、複数基の第１〜第３のファン２０ｂ〜２０ｄ（本例では３基とするが、一例である）と、金属、樹脂等の材料で筒状に形成されるフレキシブルのダクト２５と、を備える。
【００１６】
ダクト２５は、後述する通気層に一本〜複数本配備されており、例えば、基端に例えば、１つの吸気端２５ａ（本数は一例である）と、その吸気端２５ａから延びる途中で２つに分岐し（分岐本数は一例である）、かつ他端に２つの排気端２５ｂ、２５ｃを備える。ダクト２５の吸気端２５ａは床下（床面２１ａと基礎Ｆとの間）に設置される。ダクト２５は、吸気端２５ａから床面２１ａに沿って通気層７に対応する位置まで延び、その位置で上方に屈曲して通気層７内（ダクト２５を付設する位置と本数は任意である）を通る。ダクト２５は、１階天井裏空間２１ｃにおいて２つに分岐する。分岐した一方のダクト２５の第１の排気端２５ｂは、１階の部屋２１の通気層７内を通って１階天井裏空間２１ｃ内に延びる。分岐した他方のダクト２５の第２の排気端２５ｃは、２階の部屋２１の通気層７内を通って２階天井裏空間２２ｃ内に延びる。なお、ダクト２５は、通気層７が望ましいが、その他として、図４に示すように、部屋の内壁３５と、例えば、隣接した他の部屋の内壁３５との間を通過してもよい。また、図示しないが、ダクト２５は、各部屋２１，２２の壁面、又は内部を通過してもよい。
【００１７】
第１ファン〜第３ファンの２０ｂ〜２０ｄ（総称するときは、ファン２０ｂ〜２０ｄとする）は、例えば、円筒状のパイプファンである。一基〜複数基の第３のファン２０ｄは、１階の部屋２１の内壁３５の内面から通気層７の内面に貫設された一〜複数の空間に設けられている。第１のファン２０ｂ（空調機用のファン）は、２階の部屋２２の天井面２２ｂの下面から室内に貫設された空間に設けられている。一基〜複数基の第２のファン２０ｃは、２階の部屋２２の内壁３５の内面から通気層７の内面に貫設された一〜複数の空間に設けられている。そして、第２のファン２０ｃと第３のファン２０ｄで、１階の部屋２１の空気を、通気層７を介して、屋根の通気層７ａに導き、又は２階の部屋２２の空気を、通気層７の下側から、建物Ｈの土台１近傍に排気する。従って、１階の部屋２１の内部と、２階の部屋２２の内部は、負圧状態となり、建物Ｈの隙間、例えば、土台１、土間等の隙間１６から外気を床下Ｇに吸込み、ダクト２５に導く構造である。以上の説明では、通気層７の上下方向に、混在して、第２・第３のファン２０ｃ、２０ｄを介して送る方法を説明したが、第２のファン２０ｃでは、通気層７ａに送り、第３のファン２０ｄでは、通気層７の下側から、建物Ｈの土台１近傍に排気することも有益である。そして、通気層７の下側から、建物Ｈの土台１近傍に排気する構造では、床下への湿気、熱気とか、虫等の侵入（進入）防止に有効である。
【００１８】
一基〜複数基の換気用ガラリ２０ａは、１階天井裏空間２１ｃ内の空気、又はダクト２５の空気を、１階の部屋２１内に取り入れるための設備であり、天井面２１ｂに設ける。一基〜複数基の第３のファン２０ｄは、１階の部屋２１内の空気を通気層７に送ることができる。第２のファン２０ｃは、２階の部屋２２内の空気を通気層７に送ることができる。第１のファン２０ｂは空調機のファンであり、第２のファン２０ｃ及び第３のファン２０ｄは排気用ファンである。尚、一基〜複数基の換気用ガラリ２０ａは、全てか、その一部を、図示しないが、ファンとすることもできる。
【００１９】
次に、図１及び図４を参照しつつ、空調システム１０における第２、第３のファン２０ｃ、２０ｄが駆動している場合の空気の流れについて説明する。
【００２０】
夏季においては、外気温に比べて、内気温（１階、２階の部屋２１、２２の空気）が高くなり、第２、第３のファン２０ｃ、２０ｄが駆動すると、前述の如く、１階、２階の部屋２１、２２が負圧となる。この負圧状態となれば、低温の床下Ｇの冷気を（外気温に比べて、基礎Ｆの地面の温度が低く、床下Ｇの空気は冷気となる）、床下Ｇのダクト２５の吸気端２５ａ（床下Ｇに設置したダクト２５の吸気端２５ａ）より吸込み、第１の排気端２５ｂ、及び／又は、第２の排気端２５ｃ（二階建て説明するが、平屋も同じである）から排出される。第１の排気端２５ｂから排出された冷気は、ガラリ２０ａを通過して１階の部屋２１内に拡散されて、１階の部屋２１内が冷却される。また、第２の排気端２５ｃから排出された冷気は、場合により、図示しない、ファン、又は空調機用のファン２ｂ（第１のファン２ｂとする）、及び／又は、図示しない、ガラリを通過して２階の部屋２２内に拡散されて、２階の部屋２２内が冷却される。尚、前記の如く、第２、第３のファン２０ｃ、２０ｄが駆動することで、１、２階の部屋２１、２２内の暖気（空気）は、通気層７に排気された後、棟換気部９に向かって流れ、棟換気部９から建物Ｈの外に排出される。
【００２１】
尚、２階天井裏空間２２ｃの第１のファン２０ｂは、建物Ｈの空気調和機（図示しない）に備えた機材を利用した一例であり、第２の部屋２２の温湿度調整に役立つ利点がある。また、第１のファン２０ｂは、通常のファンに代替することも可能であり、このファンであれば、第２の部屋２２を負圧にすることに役立つと考えられる。また、第２のファン２０ｃとの同期駆動も可能である。尚、第２、第３のファン２０ｃ、２０ｄを、同期して駆動する方法を説明したが、単独使用し、第１・第２の部屋２１、２２を別個に負圧とする使用もできる。
【００２２】
冬期においては、外気温に比べて、基礎Ｆに接する地面の温度は高くなる。よって、上記夏期の場合と同様に、第２のファン２０ｃ（排気用ファン）及び第３のファン２０ｄ（排気用ファン）が駆動されることで、冷気が１階・２階の部屋２１，２２の外の通気層７に排気される。これにより、１階・２階の部屋２１，２２が負圧となり、ダクト２５を通じて暖気が床下から、ガラリ２０ａより１階の部屋２１内に送られるとともに、ダクト２５を通じて暖気が、２階の部屋２２に送られるか、及び／又は、空調機用のファン２０ｂらにより２階の部屋２２内に送られることで、１階・２階の部屋２１，２２が暖められる。
【００２３】
図５のブロック図に示すように、空調システム１０は、第１〜第３のファン２０ｂ〜２０ｄに加えて、建物Ｈの外の温度を検出する外気温センサ５２と、床下の温度を検出する床下気温センサ５３と、室内の湿度を検出する湿度センサ５４と、時間及び月日を計測する時計５５と、各種センサ等からの情報に基づき第１〜第３のファン２０ｂ〜２０ｄを制御する制御装置５１とを備える。
【００２４】
図６のフローチャートには、第１の自動運転パターンが示されている。すなわち、同図に示すように、制御装置５１は、外気温センサ５２及び床下気温センサ５３を通じて、外気温及び床下の温度を認識する（Ｓ１）。そして、制御装置５１は、外気温及び床下の温度の温度差を算出し（Ｓ２）、その温度差が第１の閾値Ｔｈ１以上であるか否かを判断する（Ｓ３）。
【００２５】
制御装置５１は、温度差が第１の閾値Ｔｈ１（例えば、２５℃以上）以上である旨判断すると（Ｓ３でＹＥＳ）、第１〜第３のファン２０ｂ〜２０ｄを駆動し（Ｓ４）、温度差が第１の閾値Ｔｈ１（例えば、２５℃以上）未満である旨判断すると（Ｓ３でＮＯ）、第１〜第３のファン２０ｂ〜２０ｄを駆動せず、本フローチャートに係る処理を終了する（エンド）。このフローチャートは周期的に実行される。例えば、上記温度差が小さい場合には、空調システム１０を動作させても、部屋内は十分に冷却又は暖房されないため効率的でない。すなわち、第１の閾値Ｔｈ１は、効率的に空調システム１０が動作する上記温度差以上に設定されている。
【００２６】
また、第２の自動運転パターンとして、制御装置５１は、湿度センサ５４を通じて検出した室内の湿度が、第１の閾値（例えば、６５％）以上である旨判断すると、第１〜第３のファン２０ｂ〜２０ｄを駆動し、室内の湿度が第１の閾値未満である旨判断すると、第１〜第３のファン２０ｂ〜２０ｄを駆動させなくてもよい。この第１の閾値は、快適な室内環境を実現するための湿度に基づき設定されている。
【００２７】
また、第３の自動運転パターンとして、制御装置５１は、時計５５からの情報に基づき、居住者が部屋にいないと想定される時間帯、例えば深夜から早朝（例えば、午前３時〜９時）にかけて第１〜第３のファン２０ｂ〜２０ｄを駆動し、その他の時間帯には、第１〜第３のファン２０ｂ〜２０ｄを駆動させなくてもよい。
【００２８】
また、第４の自動運転パターンとして、制御装置５１は、外気温センサ５２を通じて検出した外気温が、第３の閾値（例えば、２５℃）以上である旨判断すると、第１〜第３のファン２０ｂ〜２０ｄを駆動し、外気温が第３の閾値未満である旨判断すると、第１〜第３のファン２０ｂ〜２０ｄを駆動させなくてもよい。この第３の閾値は、快適な室内環境を実現するための温度に基づき設定されている。
【００２９】
また、上記第１の自動運転パターンの変形例である第５の自動運転パターンとして、冬季とそれ以外の季節とで第１の閾値Ｔｈ１を変化させてもよい。制御装置５１は、例えば時計５５からの情報に基づき、冬季（例えば、１１月〜２月）においては、第１の閾値Ｔｈ１を冬季用の閾値（例えば、１４℃）に設定したうえで、上記第１の自動運転パターンを実行し、冬季以外の季節（例えば、３月〜１０月）においては、第１の閾値Ｔｈ１を通常用の閾値（例えば、２５℃）に設定したうえで、上記第１の自動運転パターンを実行してもよい。制御装置５１は、冬季であるか否かの判断を、時計５５からの情報でなく、外気温センサ５２又は床下気温センサ５３が検出する気温に基づき判断してもよい。この判断基準となる気温は、一定期間の平均気温であってもよい。
【００３０】
さらに、第１の自動運転停止パターンとして、制御装置５１は、冬季においては、第１〜第３のファン２０ｂ〜２０ｄの駆動を完全に停止してもよい。
【００３１】
また、第２の自動運転停止パターンとして、制御装置５１は、外気温センサ５２及び床下気温センサ５３の検出結果に基づき外気温及び床下の温度の温度差を算出し、その温度差が第３の閾値未満の場合、第１〜第３のファン２０ｂ〜２０ｄの駆動を完全に停止してもよい。例えば、上記温度差が小さい場合には、空調システム１０を動作させても、部屋内は十分に冷却又は暖房されないため効率的でない。すなわち、第３の閾値は、効率的に空調システム１０が動作する上記温度差より小さく設定されている。
【００３２】
第１及び第２の自動運転停止パターンにおいて第１〜第３のファン２０ｂ〜２０ｄの駆動が完全に停止している場合には、上述した第１〜４の自動運転パターンの駆動条件が成立した場合でも、制御装置５１は、第１〜第３のファン２０ｂ〜２０ｄを駆動させなくてもよい。
【００３３】
空調対象がクローゼット、押し入れ又は玄関である場合には、例えば第１〜４の自動運転パターンが好適である。例えば、制御装置５１は、図１の１階の部屋２１がクローゼット、押し入れ又は玄関である場合、第１〜４の自動運転パターンに基づき、第１のファン２０ｂに係る制御を行ってもよい。特に、第３の自動運転パターンによれば、クローゼット、押し入れ又は玄関に人がいないことが想定される時間帯に換気が行われるため、ファン動作に伴う騒音が問題となりづらい。
【００３４】
空調対象が居間である場合には、例えば第３及び第４の自動運転パターンならびに第１及び第１の自動運転停止パターンが好適である。例えば、制御装置５１は、図１の２階の部屋２２が居間である場合、第３及び第４の自動運転パターンならびに第１及び第１の自動運転停止パターンに基づき、第２のファン２０ｃ及び第３のファン２０ｄに係る制御を行ってもよい。このように部屋の種類に応じて採用する自動運転パターン及び自動運転停止パターンを適宜変更してもよい。
【００３５】
上記第１〜第４の自動運転パターン及び第１及び第２の自動運転停止パターンのうち採用するパターンは、部屋の種類等に合わせて適宜取捨選択されてもよい。採用されるパターンに応じて、各種センサ及び時計等を省略してもよい。
【００３６】
さらに、空調システム１０は、図５に示すように、ユーザによって押し操作可能に設置された強制動作スイッチ５６を備えてもよい。制御装置５１は、強制動作スイッチ５６が押し操作された旨認識すると、上記各自動運転パターン及び各自動運転停止パターンに関わらず、第１〜第３のファン２０ｂ〜２０ｄを駆動してもよい。尚、第２、第３のファン２０ｃ〜２０ｄを駆動することで、例えば、焼き肉、焼き魚の際、部屋内に充満した匂い及び煙を迅速に屋外に排出できる。また、制御装置５１は、強制動作スイッチ５６の操作に基づき第１〜第３のファン２０ｂ〜２０ｄを駆動した後、再度、強制動作スイッチ５６が押し操作された旨認識すると、通常のモード（各自動運転パターン及び各自動運転停止パターンに基づきファンを駆動又は停止するモード）に戻ってもよい。また、制御装置５１は、強制動作スイッチ５６の操作に基づき第１〜第３のファン２０ｂ〜２０ｄを駆動した場合、一定時間（例えば２４時間）経過後に、通常のモード（各自動運転パターン及び各自動運転停止パターンに基づき駆動又は停止するモード）に戻ってもよい。
【００３７】
また、第１〜第３のファン２０ｂ〜２０ｄの駆動は、建物Ｈとか、壁体８等の湿度上昇を抑制できる。従って、例えば、土台１、柱２、胴差し３等が、木材使用であれば、湿度上昇による変質、変形、又はシロアリの発生等を回避できて有益である。
【００３８】
（１）上記実施形態に係る空調システム１０は、基礎Ｆと建物Ｈの床面２１ａとの間に一端（吸気端２５ａ）が設置され、部屋の１・２階天井裏空間２２ｃに他端（排気端２５ｂ、２５ｃ）が設置される金属、樹脂等の材料でなるチューブ状のダクト２５と、１階の天井面２１ｂに設置（配備）され、かつダクト２５からの空気（暖気、又は冷気、或いは常温空気等の空気）を１階の部屋２１（室内）に送る換気用ガラリ２０ａと、１階の部屋２１の側壁（内壁３５）に設置され、１階の部屋２１内の空気を通気層７に排出する第３のファン２０ｄと、を備える。この構成によれば、夏期においては、床下の冷気が、ダクト２５からガラリ２０ａより１階の部屋２１内に送り込まれて、この冷気の圧送で、部屋２１内の暖気が通気層７に排出される。冬期においては、床下の暖気が、前述と同様な流れで１・２階の部屋２１、２２内に送り込まれて、１階の部屋２１内の冷気が通気層７に排出される。このように、床下の冷気、又は暖気を利用して室温及び湿度を調整するため、エアコンディショナー等のみで室温及び湿度を調整した場合に比べて、より少ない消費電力で、快適な室内環境を実現することができる。また、この空調システム１０によれば、部屋内の温度調整だけに限らず、空気を循環させることで湿度も調整されるとともに、臭い及び煙等も外部に排出されるための各所の目的の調整ができ、快適な室内環境を実現できる。このように、湿度の上昇が抑制されることで、結露、カビやダニの発生を抑制できる。また、空調システム１０によれば、窓を開けての換気を要さないことが多く、防犯上も好ましく、かつ前述の消費電力の軽減化に寄与できる。さらに、空調システム１０をクローゼット、押し入れ又は玄関に適用することで、クローゼット等の内部に臭いがこもること、又は結露発生等の抑制に有効である。
【００３９】
（２）さらに、上記実施形態に係る空調システム１０は、建物Ｈの外の温度を検出する外気温センサ５２と、床面２１ａと基礎Ｆとの間の温度を検出する床下気温センサ５３と、外気温センサ５２を通じて検出した外気温及び床下気温センサ５３を通じて検出した床下の温度の温度差を算出し、その温度差が第１の閾値Ｔｈ１以上のとき、第１〜第３のファン２０ｂ〜２０ｄを駆動する制御装置５１と、を備える。この構成によれば、外気温と床下の温度との温度差が大きいとき、すなわち、空調システム１０により効率的に空調が可能であるときに、空調システム１０が動作する。
【００４０】
（３）さらに、上記実施形態に係る空調システム１０は、１階の部屋２１内の湿度を検出する湿度センサ５４と、湿度センサ５４を通じて検出した湿度が第１の閾値以上のとき、第１〜第３のファン２０ｂ〜２０ｄを駆動する制御装置と、を備える。この構成によれば、湿度の上昇が抑制され、快適な室内環境を実現することができる。又は、結露防止等に有効である。
【００４１】
（４）第３のファン２０ｄは、部屋２２内の空気を、通気層７を通じて、建物Ｈの屋根の頂部に設けられる棟換気部９から建物Ｈの外部に排出する。これにより、内壁３５と外壁３７との間の湿度が高まることが抑制される。
【００４２】
（変形例）
上記実施形態では、棟換気部９から建物Ｈの外部に空気が排出したが、その他の部分、例えば、外壁３７に排気口（図示せず）を設けて、その排気口から建物Ｈ外に排出してもよい。また、この排気口に外部に空気を送るファンを新たに設けてもよい。
【００４３】
上記実施形態における第１〜第３のファン２０ｂ〜２０ｄは、ファンの能力とか、好みにより、適宜省略可能である。また、１階の部屋２１のみに空調システム１０が導入される場合には、第３のファン２０ｄを省略しいもよい。また、２階の部屋２２にのみ空調システム１０が導入される場合には、２階の部屋２２の第２のファン２０ｃを省略してもよい。
【００４４】
上記第１〜第３のファン２０ｂ〜２０ｄ、又はガラリ２０ａ等の設置位置は限定されない。例えば、ガラリ２０ａ及び第１のファン２０ｂを内壁３５に設けてもよい。
【００４５】
上記実施形態では、建物Ｈは、木造で説明したが、鉄骨又は鉄筋コンクリートの建物Ｈに実施形態に係る空調システム１０を適用してもよい。
【００４６】
上記実施形態では、ダクト２５は、それぞれ１階天井裏空間２１ｃ及び２階天井裏空間２２ｃに延びるように２つに分岐しているが一例である。
【００４７】
本発明は上述した実施形態に限定されるものではなく、各請求項に示した範囲内での種々の変更が可能である。すなわち、請求項に示した範囲内で適宜変更した技術的手段を組み合わせて得られる実施形態も、本発明の技術的範囲に含まれる。
【符号の説明】
【００４８】
１  土台
２  柱
３  胴差し
４  軒桁
５ａ  母屋
５ｂ  断熱材
５ｃ  防水シート
５ｄ  屋根材
６  軒天
７  通気層
７ａ  屋根の通気層
７００  開口
７０１  開口
８  壁体
９  棟換気部
９ａ  開口部
９ｂ  棟カバー
１０  空調システム
１１  屋根
１２  断熱材マット
１６  隙間
２０ａ  ガラリ
２０ｂ〜２０ｄ  ファン
２１  １階の部屋
２２  ２階の部屋
２１ａ，２２ａ  床面
２１ｂ，２２ｂ  天井面
２１ｃ  １階天井裏空間
２２ｃ  ２階天井裏空間
２５  ダクト
２５ａ  吸気端
２５ｂ  第１の排気端
２５ｃ  第２の排気端
３５  内壁
３７  外壁
５１  制御装置
５２  外気温センサ
５３  床下気温センサ
５４  湿度センサ
５５  時計
５６  強制動作スイッチ
Ｆ  基礎
Ｇ  床下
Ｈ  建物
【手続補正書】
【提出日】平成28年9月13日(2016.9.13)
【手続補正１】
【補正対象書類名】特許請求の範囲
【補正対象項目名】全文
【補正方法】変更
【補正の内容】
【特許請求の範囲】
【請求項１】
空調機を備えた建物に配備される空調システムにおいて、
前記建物の基礎及び前記建物内における部屋の床面の間に一端が設置され、前記部屋の天井裏に他端が設置される筒状のダクトと、
前記部屋の天井面に設けた前記空調機用のファン（２０ｂ）と、
前記建物の天井面に設けたガラリ（２０ａ）と、
この建物の内部空気を、当該建物の通気層に排出する、前記部屋の内壁に設けた排気用ファン（２０ｃ）、（２０ｄ）と、を備え、
前記通気層は、上端の開口を、上方の胴差しで開放し、また、下端の開口を、土台、又は基礎に設けた胴差しの下端で開放する構成とした空調システム。
【請求項２】
前記通気層は、建物の内壁と外壁との間に設けた換気通路とする構成とした請求項１に記載の空調システム。
【請求項３】
前記排気用ファンは、前記部屋内の空気を、前記建物における外壁及び内壁間に形成される通気層を経て、前記建物の屋根の頂部に設けられる棟換気部から前記建物の外部に排出する構成とした請求項１又は２に記載の空調システム。
【請求項４】
前記建物の外の温度を検出する外気温センサと、
前記床面と前記基礎との間の温度を検出する床下気温センサと、
前記外気温センサを通じて検出した外気温及び前記床下気温センサを通じて検出した床下の温度の温度差を算出し、その温度差が第１の閾値以上のとき、前記空調機用のファン及び排気用ファンを駆動する制御装置と、を備える構成とした請求項１から３のいずれか一項に記載の空調システム。
【請求項５】
前記部屋内の湿度を検出する湿度センサと、
前記湿度センサを通じて検出した湿度が第１の閾値以上のとき、前記空調機用のファン及び排気用ファンを駆動する制御装置と、を備える構成とした請求項１から４のいずれか一項に記載の空調システム。
【手続補正２】
【補正対象書類名】明細書
【補正対象項目名】０００７
【補正方法】変更
【補正の内容】
【０００７】
本発明によれば、より少ない消費電力で、昼夜を問わず快適な室内環境を実現できる。また、高気密、高断熱の建物（住宅、事務所等）に最適な空調システムを提供可能となり有益である。さらに、高気密から連想される「風通しが悪そう」、「息苦しい」というマイナスイメージを払拭できる優越性も備える。また、通気層の上端の開口は、２階の胴差しの上方外側で開放されている。また、通気層の下端の開口は、土台、又は基礎に設けた胴差しの下端で開放されている。このように、通気層内の空気の流れを二分することで、棟換気部へのスムース、かつ迅速な流れを確保でき、第１・第２の部屋の容易、かつ迅速な空気調整が図れる。
【手続補正３】
【補正対象書類名】明細書
【補正対象項目名】００１６
【補正方法】変更
【補正の内容】
【００１６】
ダクト２５は、後述する通気層に一本〜複数本配備されており、例えば、基端に、１つの吸気端２５ａ（本数は一例である）と、その吸気端２５ａから延びる途中で２つに分岐し（分岐本数は一例である）、かつ他端に２つの排気端２５ｂ、２５ｃを備える。ダクト２５の吸気端２５ａは床下（床面２１ａと基礎Ｆとの間）に設置される。ダクト２５は、吸気端２５ａから床面２１ａに沿って通気層７に対応する位置まで延び、その位置で上方に屈曲して通気層７内（ダクト２５を付設する位置と本数は任意である）を通る。ダクト２５は、１階天井裏空間２１ｃにおいて２つに分岐する。分岐した一方のダクト２５の第１の排気端２５ｂは、１階の部屋２１の通気層７内を通って１階天井裏空間２１ｃ内に延びる。分岐した他方のダクト２５の第２の排気端２５ｃは、２階の部屋２１の通気層７内を通って２階天井裏空間２２ｃ内に延びる。なお、ダクト２５は、通気層７が望ましいが、その他として、図４に示すように、部屋の内壁３５と、例えば、隣接した他の部屋の内壁３５との間を通過してもよい。また、図示しないが、ダクト２５は、各部屋２１，２２の壁面、又は内部を通過してもよい。
【手続補正４】
【補正対象書類名】明細書
【補正対象項目名】００４３
【補正方法】変更
【補正の内容】
【００４３】
上記実施形態における第１〜第３のファン２０ｂ〜２０ｄは、ファンの能力とか、好みにより、適宜省略可能である。また、１階の部屋２１のみに空調システム１０が導入される場合には、第３のファン２０ｄを省略してもよい。また、２階の部屋２２にのみ空調システム１０が導入される場合には、２階の部屋２２の第２のファン２０ｃを省略してもよい。